(57)【要約】【課題】記録媒体を使用せずに機器ごとやり取りが可能な、カード型動画記録・再生機を提供する。【解決手段】カード型の部材収納ケースの表面に、液晶画面、動画の記録を開始又は停止のためのスイッチ、動画の再生を開始又は停止するためのスイッチ、スピーカー、撮影レンズ及び外部機器接続用ケーブルの挿入口を具備し、内部には、電子基板、液晶画面装置、スピーカー装置、撮影装置、電源及び記憶装置を具備する。  保護カバーが部材収納ケースの１辺に蝶番で枢設されていて、カバーを開くと同時に動画の再生が開始する。さらに、保護カバーには手書きでメッセージ等を書き込むことができる。  電源は、リチウム電池等の充電可能な蓄電池が採用されており、ＵＳＢケーブルを通してパソコンや家庭用コンセントから電力の供給を受ける。  また、ＵＳＢケーブルを介してパソコンやタブレットに接続して、動画のやり取りが可能である。【選択図】図1
2015162721.tif 000002
【特許請求の範囲】
【請求項１】
カード型の部材収納ケースを有する動画記録・再生機であって、
前記部材収納ケースの表面に、液晶画面と、動画の記録を開始又は停止のためのスイッチと、動画の再生を開始又は停止するためのスイッチと、スピーカーと、撮影レンズと、外部機器接続用ケーブルの挿入口と、を具備し、
前記部材収納ケースの内部に、前記動画の記録及び再生の機能を制御するための電子基板と、液晶画面装置と、スピーカー装置と、撮影装置と、電源と、記憶装置と、を具備することを特徴とする動画記録・再生機。
【請求項２】
前記液晶画面を保護するためのカバーを具備することを特徴とする動画記録・再生機。
【請求項３】
前記液晶画面を保護するためのカバーは、前記動画記録・再生機本体の1辺に蝶番を介して前記液晶画面に対し開閉可能に枢設され、前記カバーを開くことにより前記記録装置に記録された動画の再生が開始されることを特徴とする請求項２記載の動画記録・再生機。
【請求項４】
前記電源は充電可能な蓄電池であって、前記外部機器接続用ケーブルの挿入口より電力の供給を受けることを特徴とする請求項１乃至３のいずれかに記載の動画記録・再生機。
【請求項５】
外部機器接続用ケーブルを介して外部機器と接続し、前記動画記録・再生機によって記録した動画を前記外部機器に複製又は移動すること、及び前記外部機器内の動画を前記動画記録・再生機に複製又は移動することが可能であることを特徴とする請求項１乃至４のいずれかに記載の動画記録・再生機。
【発明の詳細な説明】
【技術分野】
【０００１】
本発明は、コミュニケーションを目的とするカード型の動画記録・再生機に関する。
【背景技術】
【０００２】
録画した動画を友人や家族に見せる手段としては、（１）ビデオカメラ等の録
画再生機で撮影したものを複数の者で一緒に見る、又は、ＳＤカード等の記録媒
体に記録し、これらを見せたい相手に届ける、（２）前述の動画をパソコン等を
使用しインターネットを介して送信又は共有する、（３）携帯電話やスマートフ
ォン等のモバイル機器によって撮影した動画をメールに添付して送信する、又は
ソーシャル・ネットワーク等を介して共有する、などの方法が一般的である
【０００３】
一方で、液晶画面を有する薄型の動画再生機が市販されているが、録画・録音機能を有するものはない。
【先行技術文献】
【特許文献】
【０００４】
【特許文献１】特開２０１０−１１４４７６号公報
【特許文献２】特開２００３−３３８１２９号公報
【発明の概要】
【発明が解決しようとする課題】
【０００５】
録画した動画を複数の者同士で共有する方法としては、上述の（１）乃至（３）が一般的である。特許文献１に開示の発明は前記（１）の範疇に属するものであって、ビデオカメラの液晶モニタ部がプロジェクターとなり、多数の人が同時に動画を鑑賞できるようにしたビデオカメラについての提案である。しかし、この方法では、離隔者同士が時間差をつけて動画を共有することはできない。
【０００６】
上述の問題を解決すべく、特許文献２には、ＰＣカード型記憶装置を内蔵するビデオカセットについての発明が開示されている。しかしながら、この方法は、ビデオカセットに格納された動画をパソコンに移動させて、一人で鑑賞するには有効であるが、複数の者が動画を共有するにはすべての者がパソコン等を所有している必要がある。また、これと類似する方法として、ＳＤカード等の記録媒体をやり取りする方法もあるが、双方が記録媒体に対応したパソコン等の機器を保有する必要がある点では、前述のＰＣカードの場合と変わらない。
【０００７】
前述の（２）のインターネットを介して動画を共有する方法については、送り手と受け手双方がインターネット接続環境を必要とし、環境が整わない場合には実現できない。
【０００８】
さらに、前述の（３）の方法については、受信側でも携帯電話やスマートフォ
ンを有していることが必要であるうえ、ネット接続に要するパケット料金等の費
用も馬鹿にならない。
【０００９】
一方、近年では、記録媒体の小型化が進み、カード型の録音機にメッセージを録音し、該カードの交換を通して、友人や恋人同士のコミュニケーションに使用できるものが市販されているが、今のところ、伝達できるのは音声にとどまり、動画をその場で撮影・格納して交換することができるカード型のものはない。
【００１０】
これらの問題を踏まえ、本発明においては、録画・再生機能を備え、記録媒体を使用せずに機器ごとやり取りが可能な、カード型動画記録・再生機を提供することを課題とする。
【課題を解決するための手段】
【００１１】
上記課題を解決するために、本発明に係るカード型動画記録・再生機は、カード型の部材収納ケースの表面に、液晶画面と、動画の記録を開始又は停止のためのスイッチと、動画の再生を開始又は停止するためのスイッチと、スピーカーと、撮影レンズと、外部機器接続用ケーブルの挿入口と、を具備し、部材収納ケースの内部には、動画の記録及び再生の機能を制御するための電子基板と、液晶画面装置と、スピーカー装置と、撮影装置と、電源と、記憶装置と、を具備することを特徴とする。
【００１２】
液晶画面を保護するためのカバーが部材収納ケースの１辺に蝶番で枢設されていて、本の表紙を開くような感覚で使用を開始できる。また、保護カバーの動きはケース内部で動画再生機構と連動しており、開くと同時に動画の再生が開始するようになっている。さらに、保護カバーの内側表面には文字等が記載できる素材が着設されており、手書きでメッセージや図絵を書き込むことができる。
【００１３】
ケース内の電源は、リチウム電池等の充電可能な蓄電池になっており、前記外部機器接続用ケーブルの挿入口より電力の供給を受ける。該挿入口は、大きさ及び汎用性を考慮しＵＳＢポートとすることが望ましく、本機はＵＳＢケーブルを通してパソコンや家庭用コンセントから電力の供給を受ける。
【００１４】
さらに、前記ＵＳＢケーブルを介してパソコンやタブレットに接続して、本機で記録した動画をパソコン等に移動させ、また、逆に、パソコン内の動画を本機に取り入れることも可能となっている。
【発明の効果】
【００１５】
カメラやパソコンなどの機器又はインターネットを使用せずに、離隔者同士が時間差をつけて、容易に動画を共有することができる。これにより、共有者の年齢や所有機器の有無を問わず、動画によるコミュニケーションが可能となる。
【００１６】
カード型であるため、郵送、宅配等により、手紙やギフトと同様の感覚で動画によるメッセージを相手に届けることができる。
【００１７】
操作が極めて簡単であるため、使用者が録画機や情報処理技術に関する知識を全く必要とせずに動画のやり取りができる。
【図面の簡単な説明】
【００１８】
【図１】本カード型動画記録・再生機の斜視図である。（Ａ）はカバーを閉じた状態、（Ｂ）はカバーを開いた状態を示す。
【図２】本カード型動画記録・再生機内部の平面図である。
【図３】本カード型動画記録・再生機使用時の絵図である。
【図４】本カード型動画記録・再生機の使用例を示す絵図である。
【発明を実施するための形態】
【００１９】
以下、本発明の実施形態について図を用いて説明する。
【００２０】
図１に示すように、本カード型動画記録・再生機はカード型の部材収納ケース１と、動画記録・再生機本体の1辺に蝶番を介して開閉可能に枢設された保護カバー２とから成る。部材収納ケース１の表面には、矩形の液晶画面３、ボタン式の録画・録音スイッチ４、同じくボタン式の再生スイッチ５、スピーカー６、撮影レンズ７及び外部機器接続用ケーブル挿入口８が設置されている。本実施形態においては、外部機器接続用ケーブル及びケーブル挿入口として、それぞれＵＳＢケーブル及びＵＳＢポートを使用している。
【００２１】
録画・録音スイッチ４は最初の指押で記録待機状態となり、２回目の指押で記録が開始され、３回目の指押で記録が停止する。また、再生スイッチ５は最初の指押で再生状態となり、２回目の指押で再生停止となる。
【００２２】
図２に示すように、部材収納ケース１の内部には、電子基板１０、液晶画面装置３１、スピーカー装置６１、撮影レンズ装置７１、電源９、記憶装置１１が設置されている。記録対象の動画は撮影レンズ装置７１を通して電子基板１０に取り込まれ、デジタル信号として記憶装置１１に記録される。本実施形態においては記憶装置１１にはハードディスクが使用されている。また、電源９には充電可能なリチウム電池が使用され、電力はＵＳＢポートを通して、外部電源又はパソコン等の情報処理機器により供給される。
【００２３】
記憶装置１１に記録された動画は、再生スイッチ５の操作により電子基板１０の制御を受けて液晶画面３に映写されるが、一方で保護カバー２の動きが再生機構と連動しており、再生スイッチ５の操作によるほか、保護カバー２を開くことによっても再生が始まるようになっている（図３）。
【００２４】
さらに、保護カバー２の内側表面は文字や図絵が書き込めるようになっており、手書きでメッセージ等を書き込むことができる（図４）。
【００２５】
さらに、本カード型動画記録・再生機はＵＳＢケーブルを介してパソコン等の外部機器と接続し、記録した動画を外部機器に複製又は移動すること、及び外部機器内の動画を前記動画記録・再生機に複製又は移動することが可能である。
【符号の説明】
【００２６】
１    部材収納ケース
２    保護カバー
３    液晶画面
３１  液晶画面装置
４    録画・録音スイッチ
５    再生スイッチ
６    スピーカー
６１  スピーカー装置
７    撮影レンズ
７１  撮影装置
８    ＵＳＢポート  
９    リチウム電池
１０  電子基板
１１  記憶装置
１２  配線
【図１】
2015162721.tif 000003
【図２】
2015162721.tif 000004
【図３】
2015162721.tif 000005
【図４】
2015162721.tif 000006